(57)【要約】      （修正有）【課題】収納バッグの本体の収納空間及び第１〜第３収納部を利用して携帯ゲーム機等を収納させ、最小限のスペースで効率良く収納し、携帯ゲーム機の携帯性を向上させるとともに、カバー部にて携帯ゲーム機の液晶モニタ部分を覆い、携帯ゲーム機の液晶モニタ部分の損傷を確実に防止する。【解決手段】第１本体部６と、第２本体部８と、第１、第２本体部の接触部位の一部を固着して一体化し、第１、第２本体部の接触部位の他の部分を開閉可能に係止する係止部材１０とにより内部に携帯ゲーム機を収納する収納空間を形成した本体からなる携帯ゲーム機用収納バッグ２において、第１本体部の内側に可視性部材を装着して第１、第２収納部２２，２４を設け、第２本体部の内側に第３収納部２８を設け、第２本体部の内側、かつ第３収納部の第３収納口の上部には、開放側から固着側に延びる軟質材からなるカバー部３０を設けている。【選択図】図１
0003109574.tif 000002
【実用新案登録請求の範囲】
【請求項１】
第１本体部と、この第１本体部と同形に形成した第２本体部と、前記第１、第２本体部の接触部位の一部を固着して一体化し、前記第１、第２本体部の接触部位の他の部分を開閉可能に係止する係止部材とにより内部に携帯ゲーム機を収納する収納空間を形成した本体からなる携帯ゲーム機用収納バッグにおいて、前記第１本体部の内側に可視性部材を装着して開放側に第１、第２収納口を有する第１、第２収納部を設けるとともに、前記第２本体部の内側には開放側に第３収納口を有する第３収納部を設け、前記第２本体部の内側、かつ前記第３収納部の第３収納口の上部には、開放側から固着側に延びる軟質材からなるカバー部を設けたことを特徴とする携帯ゲーム機用収納バッグ。
【請求項２】
前記第１、第２本体部の内部に形成される収納空間は、携帯ゲーム機を収納する空間として機能し、前記第１収容部は、ゲームの進行状況を記憶させるメモリカードホルダーとして機能し、前記第２収容部は、ゲームソフトや音楽等を記憶させたディスクホルダーとして機能し、前記第３収容部は、ヘッドフォンホルダーとして機能し、前記カバー部は、前記収納空間に携帯ゲーム機を収納した際にこの携帯ゲーム機の液晶モニタ部分を覆う液晶モニタカバーとして機能することを特徴とする請求項１に記載の携帯ゲーム機用収納バッグ。
【考案の詳細な説明】
【技術分野】
【０００１】
この考案は携帯ゲーム機用収納バッグに係り、特に収納バッグの本体の収納空間及び第１〜第３収納部を利用して携帯ゲーム機等を収納させ、最小限のスペースで効率良く収納し、携帯ゲーム機の携帯性を向上させるとともに、カバー部にて携帯ゲーム機の液晶モニタ部分を覆い、携帯ゲーム機の液晶モニタ部分の損傷を確実に防止する携帯ゲーム機用収納バッグに関するものである。
【背景技術】
【０００２】
アーケード用ゲーム機や家庭用ゲーム機からなるゲーム機において、特に家庭用ゲーム機が飛躍的に普及し、主なるゲーム実施機能のみでなく、ＤＶＤ再生機能や音楽ＣＤ再生機能、画像録画機能等の種々の機能を有する家庭用ゲーム機が各社から発売されている状況にある。
【０００３】
前記家庭用ゲーム機の主流をなすものとしては、ゲーム機の本体のみからなるものであり、このゲーム機の本体をテレビ受信機に接続し、テレビ受信機にゲーム内容を表示させ、ゲーム機の本体側から操作してゲームを行う形式となっている。
【０００４】
近時、ゲーム機の操作性や処理速度等の性能向上によって、携帯可能な携帯ゲーム機においても、高画質・高性能を実現させることができる状況となってきた。
【０００５】
【特許文献１】特開２０００−１２５９１６号公報
【考案の開示】
【考案が解決しようとする課題】
【０００６】
ところで、従来の携帯ゲーム機において、携帯ゲーム機を携帯する際には、携帯用ゲーム機に付属する専用の携帯用袋や容器を使用したり、ショルダーバッグやサイドバッグ、手提げバッグ等の通常のバッグ内に収納する方策がとられていた。
【０００７】
しかし、高画質・高性能を実現させる携帯ゲーム機においては、表示部分に液晶モニタを使用するものもあり、例えば、液晶モニタを有する携帯ゲーム機の場合には、専用の携帯用袋や容器、通常のバッグに収納している際に、衝撃や接触等によって、携帯ゲーム機の液晶モニタ部分が損傷され、液晶モニタの表示機能が悪化し、終には携帯ゲーム機が使用不可能となってしまうという不都合がある。特に今日では携帯ゲーム機といえども画質が向上し表示部である液晶モニタが大きくなってきている傾向のため、益々この部分が重視されてきているのが実状である。
【０００８】
また、ゲーム機全般においては、ゲーム機の本体のみでなく、ゲームの進行状況を記憶させるメモリカードやゲームソフト、音楽等を記憶させたディスク、そしてヘッドフォン等の付属品も必要である。
【０００９】
しかし、従来の携帯ゲーム機の場合には、上述した付属品をもいっしょに携帯できるものがなく、最小限のスペースで効率良く収納して携帯可能な携帯ゲーム機用収納バッグの実現が切望されていた。
【課題を解決するための手段】
【００１０】
そこで、この考案は、上述不都合を除去するために、第１本体部と、この第１本体部と同形に形成した第２本体部と、前記第１、第２本体部の接触部位の一部を固着して一体化し、前記第１、第２本体部の接触部位の他の部分を開閉可能に係止する係止部材とにより内部に携帯ゲーム機を収納する収納空間を形成した本体からなる携帯ゲーム機用収納バッグにおいて、前記第１本体部の内側に可視性部材を装着して開放側に第１、第２収納口を有する第１、第２収納部を設けるとともに、前記第２本体部の内側には開放側に第３収納口を有する第３収納部を設け、前記第２本体部の内側、かつ前記第３収納部の第３収納口の上部には、開放側から固着側に延びる軟質材からなるカバー部を設けたことを特徴とする。
【考案の効果】
【００１１】
以上詳細に説明した如くこの本考案によれば、第１本体部と、第１本体部と同形に形成した第２本体部と、第１、第２本体部の接触部位の一部を固着して一体化し、第１、第２本体部の接触部位の他の部分を開閉可能に係止する係止部材とにより内部に携帯ゲーム機を収納する収納空間を形成した本体からなる携帯ゲーム機用収納バッグにおいて、第１本体部の内側に可視性部材を装着して開放側に第１、第２収納口を有する第１、第２収納部を設けるとともに、第２本体部の内側には開放側に第３収納口を有する第３収納部を設け、第２本体部の内側、かつ第３収納部の第３収納口の上部には、開放側から固着側に延びる軟質材からなるカバー部を設けたので、前記収納バッグの本体の収納空間及び第１〜第３収納部を利用して、携帯ゲーム機等を収納させることができ、最小限のスペースで効率良く収納し得て、携帯ゲーム機の携帯性が向上するとともに、前記カバー部にて前記携帯ゲーム機の液晶モニタ部分を覆うことが可能となり、携帯ゲーム機の液晶モニタ部分の損傷を確実に防止し得る。
【考案を実施するための最良の形態】
【００１２】
上述の如く考案したことにより、前記収納バッグの本体の収納空間内に携帯ゲーム機を収納する際には、第１の方策として、前記第２本体部側の第３収容部に携帯ゲーム機の裏面部位を接触させ、携帯ゲーム機の表面部位に形成される液晶モニタ部分を第１本体部側に指向させ、この液晶モニタ部分を前記カバー部にて覆い、前記第２本体部側の第３収容部と前記カバー部とによって挟み込む状態とし、カバー部を液晶モニタカバーとして機能させ、また、第２の方策として、前記第２本体部側の第１、第２収容部に携帯ゲーム機の裏面部位を接触させ、携帯ゲーム機の表面部位に形成される液晶モニタ部分を第２本体部側に指向させ、この液晶モニタ部分を前記カバー部にて覆い、前記第１本体部側の第１、第２収容部と前記カバー部とによって挟み込む状態とし、カバー部を液晶モニタカバーとして機能させ、そして、前記収納バッグの本体の収納空間内に携帯ゲーム機を収納した後には、前記係止部材を利用して前記収納バッグの本体を閉鎖し、更に、前記第１〜第３収容部に付属品を収納させる際には、収納バッグの本体の開閉側から第１〜第３収納口を利用して付属品を挿入し、各種ホルダーとして機能させる。
【実施例】
【００１３】
以下図面に基づいてこの考案の実施例を詳細に説明する。
【００１４】
図１〜図３はこの考案の実施例を示すものである。図１〜図３において、２は携帯ゲーム機用収納バッグである。
【００１５】
この収納バッグ２の本体４は、図１〜図３に示す如く、皮革や合成皮革、あるいは合成樹脂等により形成した第１本体部６と、この第１本体部６と同形に、例えば同質材料により形成した第２本体部８と、前記第１、第２本体部６、８の接触部位（図３の下部参照）の一部を固着して一体化し、前記第１、第２本体部６、８の接触部位の他の部分を開閉可能に係止する、例えばファスナから形成される係止部材１０とにより内部に携帯ゲーム機１２を収納する収納空間１４を形成している。
【００１６】
このとき、前記収納バッグ２の本体４は、前記第１本体部６の内側に網状部材や透明部材等、例えば網状部材からなる可視性部材１６を装着して開放側に第１、第２収納口１８、２０を有する第１、第２収納部２２、２４を設けるとともに、前記第２本体部８の内側にはシート材を装着して開放側に第３収納口２６を有する第３収納部２８を設け、前記第２本体部８の内側、かつ前記第３収納部２８の第３収納口２６の上部には、開放側から固着側に延びる軟質材、例えば、メガネやカメラのレンズ部を拭くときにしようするようなビロードや不織布、その他の軟質布材からなるカバー部３０を設ける構成とする。
【００１７】
詳述すれば、前記第１、第２本体部６、８の内部に形成される収納空間１４は、図１に示す如く、携帯ゲーム機１２を収納する空間として機能する。
【００１８】
前記第１収容部２２は、図１に示す如く、ゲームの進行状況を記憶させる板状のメモリカード３２のメモリカードホルダーとして機能する。
【００１９】
前記第２収容部２４は、図１に示す如く、ゲームソフトや音楽等を記憶させた円板状のディスク３４のディスクホルダーとして機能する。
【００２０】
前記第３収容部２８は、図１に示す如く、ヘッドフォン３６のヘッドフォンホルダーとして機能する。
【００２１】
前記カバー部３０は、図１に示す如く、前記収納空間１４に携帯ゲーム機１２を収納した際に、この携帯ゲーム機１２の液晶モニタ１２ａ部分を覆う液晶モニタカバーとして機能するものである。
【００２２】
また、カバー部３０の取付位置を前記第２本体部８の内側、かつ前記第３収容部２８の第３収容口２６の上部としたので、係止部材１０であるファスナ等を開けたときに、収納されている携帯ゲーム機が勢い誤って飛び出すことがなく、安全に収納できる。
【００２３】
更に、前記収納バッグ２の本体４には、前記収納バッグ２の携帯性を容易とするために、図示しない吊り下げ用紐を係止させる取付部（図示せず）や、図示しないベルトへの取付を可能とするベルト取付部（図示せず）等の方策を施することも可能である。
【００２４】
次に作用を説明する。
【００２５】
前記収納バッグ２の本体４の収納空間１４内に携帯ゲーム機１２を収納する際には、２種類の方策が考えられる。
【００２６】
第１の方策としては、前記第２本体部８側の第３収容部２８に携帯ゲーム機１２の裏面部位を接触させ、携帯ゲーム機１２の表面部位に形成される液晶モニタ１２ａ部分を第１本体部６側に指向させる。
【００２７】
そして、この液晶モニタ１２ａ部分を前記カバー部３０にて覆い、前記第２本体部８側の第３収容部２８と前記カバー部３０とによって挟み込む状態とし、カバー部３０を液晶モニタカバーとして機能させるものである。
【００２８】
また、第２の方策としては、前記第２本体部８側の第１、第２収容部２２、２４に携帯ゲーム機１２の裏面部位を接触させ、携帯ゲーム機１２の表面部位に形成される液晶モニタ１２ａ部分を第２本体部８側に指向させる。
【００２９】
そして、この液晶モニタ１２ａ部分を前記カバー部３０にて覆い、前記第１本体部６側の第１、第２収容部２２、２４と前記カバー部３０とによって挟み込む状態とし、カバー部３０を液晶モニタカバーとして機能させるものである。
【００３０】
前記収納バッグ２の本体４の収納空間１４内に携帯ゲーム機１２を収納した後には、前記係止部材１０を利用して前記収納バッグ２の本体４の開放部位を閉鎖する。
【００３１】
更に、前記第１収容部２２に、ゲームの進行状況を記憶させる板状のメモリカード３２を収納させる際には、図１に示す如く、前記収納バッグ２の本体４の開閉側から第１収納口１８を利用してメモリカード３２を挿入し、前記第１収容部２２にメモリカード３２を収納させてメモリカードホルダーとして機能させる。
【００３２】
更にまた、前記第２収容部２４に、ゲームソフトや音楽等を記憶させた円板状のディスク３４を収納させる際には、図１に示す如く、前記収納バッグ２の本体４の開閉側から第２収納口２０を利用してディスク３４を挿入し、前記第２収容部２４にディスク３４を収納させてディスクホルダーとして機能させる。
【００３３】
また、前記第３収容部２８に、ヘッドフォン３６を収納させる際には、図１に示す如く、前記収納バッグ２の本体４の開閉側から第３収納口２６を利用してヘッドフォン３６を挿入し、前記第３収容部２８にヘッドフォン３６を収納させてヘッドフォンホルダーとして機能させる。
【００３４】
これにより、前記収納バッグ２の本体４に、前記第１本体部６の内側に網状部材や透明部材等、例えば網状部材からなる可視性部材１６を装着して開放側に第１、第２収納口１８、２０を有する第１、第２収納部２２、２４を設けるとともに、前記第２本体部８の内側には開放側に第３収納口２６を有する第３収納部２８を設け、前記第２本体部８の内側、かつ前記第３収納部２８の第３収納口２６の上部には、開放側から固着側に延びる軟質材、例えば不織布やその他の軟質布材からなるカバー部３０を設ける構成としたことによって、前記収納バッグ２の本体４の収納空間１４及び第１〜第３収納部２２、２４、２８を利用して、携帯ゲーム機１２等を収納させることができ、最小限のスペースで効率良く収納し得て、携帯ゲーム機１２の携帯性が向上するとともに、前記カバー部３０にて前記携帯ゲーム機１２の液晶モニタ１２ａ部分を覆うことによって、携帯ゲーム機１２の液晶モニタ１２ａ部分の損傷を確実に防止し得る。
【００３５】
また、前記第１、第２本体部６、８の内部に形成される収納空間１４は、携帯ゲーム機１２を収納する空間として機能し、前記第１収容部２２は、ゲームの進行状況を記憶させるメモリカード３２のメモリカードホルダーとして機能し、前記第２収容部２４は、ゲームソフトや音楽等を記憶させたディスク３４のディスクホルダーとして機能し、前記第３収容部２８は、ヘッドフォン３６のヘッドフォンホルダーとして機能し、前記カバー部３０は、前記収納空間１４に携帯ゲーム機１２を収納した際にこの携帯ゲーム機１２の液晶モニタ１２ａ部分を覆う液晶モニタカバーとして機能することにより、前記収納バッグ２の本体４の収納空間１４及び第１〜第３収納部２２、２４、２８を利用して、携帯ゲーム機１２とメモリカード３２やディスク３４、ヘッドフォン３６等の付属品とをいっしょに収納させることができ、最小限のスペースで効率良く収納し得て、携帯ゲーム機１２の携帯性が向上するとともに、前記携帯ゲーム機１２の液晶モニタ１２ａ部分を、軟質材、例えば不織布やその他の軟質布材からなる前記カバー部３０にて覆い、携帯ゲーム機１２の液晶モニタ１２ａ部分の損傷を確実に防止し得るものである。
【００３６】
更に、前記収納バッグ２の本体４に、図示しない吊り下げ用紐を係止させる取付部（図示せず）や、図示しないベルトへの取付を可能とするベルト取付部（図示せず）等の方策を施する構成とすれば、前記収納バッグ２の携帯性が容易となり、前記携帯ゲーム機１２の携帯性の向上に寄与し得る。
【００３７】
更にまた、前記第１、第２収納部２２、２４を設ける際に、網状部材や透明部材等、例えば網状部材からなる可視性部材１６を使用することにより、前記第１、第２収納部２２、２４内に収納される収納物の個数や内容を外方から可視することが可能となり、使い勝手を向上し得る。
【００３８】
なお、この考案は上述実施例に限定されるものではなく、種々の応用改変が可能である。
【００３９】
例えば、この考案の実施例においては、前記収納バッグの本体内に第１、第２収納部を設ける場合にのみ、網状部材や透明部材等、例えば網状部材からなる可視性部材を使用する構成としたが、前記収納バッグの可視性を向上させる特別構成とすることも可能である。
【００４０】
すなわち、前記収納バッグの本体内に第３収納部を設ける場合に、可視性部材を使用することができるとともに、前記収納バッグの本体の強度、つまり携帯ゲーム機の保護機能を維持しつつ、透明な合成樹脂等の可視性部材を使用して第１、第２本体部を形成することも可能である。
【００４１】
さすれば、前記収納バッグ及び第３収納部を設ける際に可視性部材を使用することによって、前記収納バッグ及び第３収納部の可視性の向上に寄与することができ、収納バッグの使い勝手の向上に寄与し得るとともに、収納バッグ全体をスケルトンタイプとすることもでき、デザイン性、つまり外的美観の向上にも寄与し得るものである。
【００４２】
また、この考案の実施例においては、前記収納バックの内部のみに第１〜第３収納部を設ける構成としたが、収納バッグの外周面部位に収納部を設ける特別構成とすることも可能である。
【００４３】
すなわち、前記収納バッグの本体において、第１、第２本体部の外周面部位に新たな収納部を設けるものである。
【００４４】
さすれば、剛性の高い付属品や冊子状の使用説明書等の場合には、これらの剛性の高い付属品や冊子状の使用説明書等を第１、第２本体部の外周面部位に新たに設けた収納部に収納でき、前記収納バッグの収納スペースを拡大させることができるとともに、前記収納バッグを開放させなくとも、剛性の高い付属品や冊子状の使用説明書等の取り出し作業を容易に行うことができ、使い勝手を向上し得るものである。
【図面の簡単な説明】
【００４５】
【図１】この考案の実施例を示す携帯ゲーム機用収納バッグの収納状態の概略説明斜視図である。
【図２】携帯ゲーム機用収納バッグを開放した状態の概略平面図である。
【図３】携帯ゲーム機用収納バッグの横断面図である。
【符号の説明】
【００４６】
２  携帯ゲーム機用収納バッグ
４  本体
６  第１本体部
８  第２本体部
１０  係止部材
１２  携帯ゲーム機
１２ａ  液晶モニタ
１４  収納空間
１６  可視性部材
１８  第１収納口
２０  第２収納口
２２  第１収納部
２４  第２収納部
２６  第３収納口
２８  第３収納部
３０  カバー部
３２  メモリカード
３４  ディスク
３６  ヘッドフォン
【図１】
0003109574.tif 000003
【図２】
0003109574.tif 000004
【図３】
0003109574.tif 000005